(57)【特許請求の範囲】
【請求項１】
固定枠と、この固定枠に連結され固定枠に対して折畳み自在である可動枠と、前記固定枠と前記可動枠との間に張設された粘着テープと、前記固定枠に取り付けられている柄とを備え、前記可動枠を前記固定枠に対して折り畳むことにより害虫を包囲させて害虫を捕獲する害虫捕獲器であって
前記固定枠と前記柄とが任意に角度を調節できる板ばねを介して連結されているとともに、前記固定枠と可動枠との間に張設された粘着テープの上にゴム状帯が配設されていることを特徴とする、害虫捕獲器。
【請求項２】
前記固定枠と前記可動枠とが容易に交換できるように連結されていることを特徴とする請求項１記載の害虫捕獲器。
【発明の詳細な説明】
【技術分野】
【０００１】
本発明は、家庭、オフィス等にいる害虫を捕獲するための害虫捕獲器に関するものである。
【背景技術】
【０００２】
従来の害虫を捕獲するための害虫捕獲器には、害虫が通過する室内等の床面に捕獲器具を載置して害虫が通過するさいに捕まえる据え置き型（毒餌、接着型）、害虫が存在している場所に薬剤を散布して害虫を殺す薬剤散布型、害虫を捕獲するために特殊な工夫をこらした捕獲型等が知られている。
【０００３】
ところで前記据え置き方は、害虫の通過を待って捕獲するため、捕獲に要する時間が長い上に捕獲率が低く、確実に捕獲できないという欠点がある。
前記薬剤散布型は繰り返し薬剤を散布すると、害虫の耐性が上がるとともに人体に悪影響を及ぼす懸念がある。また駆除した害虫を紙で包むなどして処分するという不愉快且つ煩わしい作業があるという問題点がある。
さらに据え置き型も薬剤散布型もペットがいる家庭には使用できないという欠点がある。
そこで最近は据え置き型や薬剤散布型に代わって、捕獲型が多く使用されるようになった。
【０００４】
この捕獲型の従来例(特許文献１)を図７に基づいて説明する。
この害虫捕獲器は、棒の先端に板を取り付け、この板の先端にテープカッターを付け、板裏面に弾性体としてスポンジを付着し、後ろ手前側に曲がった板、ゴムでできたものを弾性体として用いたスポンジの側面、その底面よりでた位置に付けたものである。そして駆除する害虫めがけて叩くように被せる。すると害虫は粘着テープにひっつき捕獲することができる。
【０００５】
この特許庁文献１に記載された発明では、粘着テープ面と床面との間で害虫の死骸の一部が飛散し床面が汚れる。粘着テープの粘着面に被着した害虫の死骸を手で除去しなければならず、不衛生であり、処理する人は気持ちが悪いという感じを与えるという問題点がある。    
【特許文献１】特開２０００−１９７４４０号公報
【発明の開示】
【発明が解決しようとする課題】
【０００６】
以上述べたたように従来の害虫捕獲器では、駆除が確実でない、駆除した害虫を紙で包むなどして処分するという不愉快且つ煩わしい作業が必要となる、ペットや幼児のいる家庭では安心して使用できないという問題点がある。
【０００７】
本発明は、このような従来構成が有していた問題点を解決するものであり、安全で確実で不愉快の作業を伴わない害虫捕獲器を実現することを目的とする。
【課題を解決するための手段】
【０００８】
本発明は上記目的を達成するため次のような課題の解決手段を提供する。
即ち本発明は、固定枠と、この固定枠に連結され固定枠に対して折り畳み自在である可動枠と、前記固定枠と前記可動枠との間に張設された粘着テープと、前記固定枠に取り付けられている柄とを設け、前記固定枠と前記柄とが任意に角度を調節できる板ばねを介して連結されているとともに、前記固定枠と可動枠との間に張設された粘着テープの上にゴム状シートが配設し、前記可動枠を前記固定枠に対して折り畳むことにより害虫を包囲させて害虫を捕獲する構成としたものである。
【０００９】
本発明の作用は次の通りである。柄を把持して害虫に向って固定枠と可動枠とを投ずると、固定枠と可動枠との間に張設された粘着テープに害虫が被着される。次いで可動枠を折り畳むと害虫は、固定枠と可動枠の間に包囲される。また前記固定枠と前記柄が任意に角度を調節できる板ばねを介して連結されているので、固定枠に対して柄の位置が柔軟に対処できる。さらに前記固定枠と可動枠との間に張設された粘着テープの上にゴム状帯が配設されているので、害虫が粘着面に被着してから、可動枠を折り畳むさいに、この可動枠をゴム状帯で引っ張りながら折り畳むことできる。
【発明の効果】
【００１０】
本発明は、固定枠と、この固定枠に連結され固定枠に対して折り畳み自在の可動枠を設け、固定枠と可動枠と間に粘着テープ配設したので、害虫を粘着テープの粘着面で捕らえたら、可動枠を固定枠に対して折り畳むと、害虫が逃げ出す暇なく固定枠と可動枠との間に包囲されてしまうという効果がある。
【００１１】
また固定枠と柄とが任意に角度を調節できる板ばねを介して連結されているので、柄が固定枠に対して任意に角度を調節でき、柄を持って可動枠と固定枠の表側を床面や壁面に密着させて害虫を捕獲しようとするときに、固定枠に対応して柄が自由に変化することができるので、予め柄と固定枠の角度が定められている従来の害虫捕獲器と比較して、操作性が良好で害虫の捕獲が簡単にできるという効果がある。
【００１２】
また粘着テープの上にゴム状帯が配設されているので、害虫が粘着面に被着してから、可動枠を折り畳むさいに、この可動枠をゴム状帯で引っ張りながら折り畳むことでき、余分な労力を要しないで折り畳むことができるという効果がある。
さらに粘着テープの粘着面に被着された害虫の死骸を棄てる際に、二つ折りにされたゴム状帯を手で持って粘着シートを破棄すればよいので、害虫を紙で包むなどの、煩わしい作業を伴わないという効果がある。
【発明を実施するための最良の形態】
【００１３】
以下本発明の実施の形態を図１〜図６に基づいて説明する。図１は本発明の害虫捕獲器の全体図で表面からみた図で、図中(１)長方形の可動枠で、プラスチック製や木製の軽量なもので製造されている。この軽量枠上にスポンジ状の弾性帯(２)が載置されて取り付けられている。
(４)は固定枠で前記可動枠(１)と同様な木製またはプラスチック製の軽量なもので作製されている。この可動枠(１)とは蝶番状の機構(３)により連結され、可動枠(１)は図６に示されるように固定枠(４)に対して折り畳み可能である。この固定枠(４)は前記可動枠(１)と同様にスポンジ状の弾性帯(２)が載置されて取り付けられている。
【００１４】
図６に示されるように前記可動枠(１)を固定枠(４)に折り畳んだ時に、可動枠(１)が固定枠(４)に直接当接しないように弾性帯(２)が存在する。この弾性帯(２)が可動枠(１)と固定枠(４)との間に介在するため、可動枠(４)を勢いよく折り畳んでも、固定枠(４)と可動枠(４)共に損傷を起こすことはない。
前記固定枠(４)には、図１、図６に示されるように板ばね(５)を介して棒状の柄(７)が取り付けられている。この板ばね（５）は固定枠（４）に対して任意に角度を調節できるように構成されている。そのため柄（７）を持って可動枠と固定枠の表側を床面や壁面に密着させて害虫を捕獲しようとするときに、固定枠に対応して柄の角度が自由に変化することができるので、予め柄と固定枠の角度が定められている従来の害虫捕獲器と比較して、操作性が良好で害虫の捕獲が簡単にできる。
【００１５】
この柄(７)の基端には板ばね状の粘着テープ固定具(６)が形成されている。前記固定枠(４)と可動枠(１)との間には空所Ｓが形成される。この空所Ｓを、図２に示されるように
害虫を被着させるためのガムテープ状の粘着テープ(８)が覆うように取り付けられる。
この粘着テープ(８)の取り付け方法を説明する。図３は本発明の害虫捕獲器を裏側からみたもので、前記可動枠(１)の裏側の枠面に図３、図５に示されるように粘着テープ固定具(１０)が付設されている。
【００１６】
この粘着テープ固定具(１０)は、図５、図６に示されるように前記可動枠(１)に装着されているＭ型の粘着テープ受け台（１０ｂ）と中央部に突起が突設されている粘着テープ圧接片（１０ａ）とで構成されている。粘着テープ(８)の一端は、粘着テープ受け台（１０ｂ）と粘着テープ圧接片（１０ａ）との間に挿入され、挿入されてから粘着テープ圧接片（１０ａ）を押し下げて粘着テープ(８)を粘着テープ固定具(１０)に固定する。
このように可動枠(１)の裏側の枠面に一端が固定された粘着テープ(８)の他端を図３に示すように表側に反転し、図２に示すように可動枠(１)と固定枠(４)との間に形成されている空所Sを覆う。
【００１７】
そして可動枠(１)と固定枠(４)との間に形成されている空所Sを覆った粘着テープ(８)の他端は柄(７)に形成されている板ばね状の粘着テープ固定具(６)に固定される。このように粘着テープ(8)で空所Ｓを覆うと、そこには図３に示されるように凹部Ｌが形成される。
この粘着テープ(８)の上方には、図２に示されるような例えば輪ゴムのようなゴム状帯(９)が取り付けられている。このゴム状帯(９)は、粘着テープ(８)の粘着面に被着された害虫の死骸を棄てる際に、二つ折りにされた粘着テープ(８)の間から突出しているので、ゴム状帯(９)を手で持って粘着シートを破棄すればよい。したがって害虫を紙で包むなどの、煩わしい作業を伴わない。
【００１８】
上記のような構成の害虫捕獲器の使用方法を説明する。先ず可動枠(1)と固定枠(4)とを水平な位置いわゆる開いている状態で、柄(7)を持って可動枠(1)と固定枠(4)の表側を床面や壁面に密着させるようにして、捕獲しようとする害虫を前記凹部Ｌ内で粘着テープ(8)被着させる。
害虫が粘着テープ(８)に被着されたら、図４に示すように可動枠(１)を固定枠(４)に対し折り畳み害虫(１１)を圧死させ同時に前記凹部Ｌ内で包囲する。次いで可動枠(１)に取り付けられている粘着テープ固定具(１０)から粘着テープ(８)をはずす。このように粘着テープ(８)を粘着テープ固定具(１０)からはずしてから、可動枠(１)を水平に位置に戻し、固定枠(４)に取り付けられている粘着テープ固定具(６)から粘着テープ(８)をとりはずす。
【００１９】
両粘着テープ固定具(６、１０)からフリー状態になった粘着テープ(８)を前記輪ゴムのようなゴム状帯(９)を手で持って捕獲器から取り外し廃棄する。このようにゴム状帯(９)を手でもって害虫を廃棄することができるので、害虫を紙で包むなどの、煩わしい作業を伴わないし衛生的である。
【図面の簡単な説明】
【００２０】
【図１】本発明の実施の形態を示す害虫捕獲器を表側からみた図
【図２】粘着テープを張設した状態の説明図
【図３】本発明の害虫捕獲器を裏側からみた図
【図４】可動枠を固定枠に対して折り畳んだところの説明図
【図５】可動枠に取り付けられる粘着テープ固定具の説明図
【図６】可動枠に取り付けられる粘着テープ固定具の説明図
【図７】従来の害虫捕獲器の説明図
【符号の説明】
【００２１】
１  可動枠
２  弾性体
３  蝶番状の機構
４  固定枠
５  板ばね
６  粘着テープ固定具
７  柄
８  粘着テープ
９  ゴム状帯
１０  粘着テープ固定具
【図１】
0004480044.tif 000002
【図２】
0004480044.tif 000003
【図３】
0004480044.tif 000004
【図４】
0004480044.tif 000005
【図５】
0004480044.tif 000006
【図６】
0004480044.tif 000007
【図７】
0004480044.tif 000008